(57)【特許請求の範囲】
【請求項１】
ロールペーパーの軸心を横にした状態で載置するストッパー兼載置部と該ストッパー兼載置部を載置する前記ストッパー兼載置部とは別体の載置部とを備え、前記ロールペーパーを前記ストッパー兼載置部上で転動させて前記ロールペーパーのペーパーを引き出し可能としたロールペーパーホルダーであって、
前記載置部は、壁面に沿って固定される固定部から前方に下り傾斜となると共に前記ストッパー兼載置部が載置される下降部と、この下降部の前方から昇り傾斜となると共に前記ストッパー兼載置部が載置される上昇部と、を備え、
前記ロールペーパーが接する前記下降部又は前記上昇部の水平面に対する傾斜角度が鉛直方向において下方になるほど大きくなる構成とし、
前記ストッパー兼載置部は、前記ロールペーパーが接触するスロープの山を備え、
前記ロールペーパーが接する前記スロープの山の水平面に対する傾斜角度が、鉛直方向において下方になるほど大きくなることを特徴とするロールペーパーホルダー。
【請求項２】
前記ストッパー兼載置部は、前記ロールペーパーの横方向の位置決めをすると共に側端に形成されたストッパー部を備えていることを特徴とする請求項１に記載するロールペーパーホルダー。
【請求項３】
前記載置部にはロールペーパーのストックが載置されることを特徴とする請求項１または請求項２に記載するロールペーパーホルダー。
【発明の詳細な説明】
【技術分野】
【０００１】
本発明は、ロール状に巻回されたロールペーパーを載置し、そこから任意の量だけ引出されたペーパーを切断するためのロールペーパーホルダーに関するものであり、例えば、トイレ空間の壁面に取り付けてロールペーパーを保持・切断するのに利用可能なロールペーパーホルダーに関する発明である。
【背景技術】
【０００２】
例えば、ロールペーパーとしてトイレで利用されているロールペーパーを保持・切断するのに現在最も汎用されているものは、ロール芯を回転可能に支持しておき、そのロールペーパーの上面に当接する紙切板の先端に設けられた切断歯によってペーパーを切断するタイプのものである。このロール芯を回転可能に支持するタイプにおいては、紙切板は、ロールペーパーに対して押さえつけられる構造であるため、切断時のみならず引出時にもロールペーパーに当接するものであり、切断時の押付け力を増そうとすれば引出時の抵抗が大きくなって、ペーパーが千切れてしまい、引出性が悪くなるものであり、切断性能と引出性能の両立が難しかった。
【０００３】
そこで、ロールペーパーを載置する構成として、ロール芯を回転可能に支持してロールペーパーを載置する載置部と、載置部の前方に設けられた切断部と、を備えたロールペーパーホルダーが提案されている。特許文献１に記載されているロールペーパーホルダーは、ロールペーパーを載置する載置部の前方からペーパーを引出し、載置部の前方に設けられた切断歯によってペーパーを切断する構成であり、切断性能と引出性能の両立が図りやすく、しかも、載置部の前方に残ったペーパーが次回引出時の摘み代となるため使い勝手の良いものである。
【先行技術文献】
【特許文献】
【０００４】
【特許文献１】特開２０００−０４１８９１号公報（図１、図２参照）
【発明の概要】
【発明が解決しようとする課題】
【０００５】
しかしながら、この特許文献１に記載された載置式のロールペーパーホルダーにおいては、ロールペーパーが大きい状態でロールペーパーホルダーに載置されている場合、載置部の前方からペーパーを引き出す際に、ロールペーパーの自重によってロールペーパーの転動に対して大きな抵抗が発生してしまい、ペーパーを滑らかに引出すことができないとともにペーパーのカット性が悪くなることがあった。また、ロールペーパーが小さい状態でロールペーパーホルダーに載置されている場合、載置部の前方からペーパーを引出す際に、ロールペーパーが載置部の後方に向かって勢いよく転動し、載置部上のロールペーパーが不安定な状態となり、ペーパーを滑らかに引出すことができないとともにペーパーのカット性が悪くなることがあった。
【０００６】
本発明が解決しようとする課題は、ロールペーパーが大きくても小さくてもペーパーを引出す際にロールペーパーを安定状態に保ち、滑らかに引出すことが可能となるとともにペーパーのカット性を向上させたロールペーパーホルダーを提供することを目的とする。
【課題を解決するための手段】
【０００７】
上記目的を達成するために請求項１記載のロールペーパーホルダーでは、ロールペーパーの軸心を横にした状態で載置するストッパー兼載置部と該ストッパー兼載置部を載置する前記ストッパー兼載置部とは別体の載置部とを備え、前記ロールペーパーを前記ストッパー兼載置部上で転動させて前記ロールペーパーのペーパーを引き出し可能としたロールペーパーホルダーであって、前記載置部は、壁面に沿って固定される固定部から前方に下り傾斜となると共に前記ストッパー兼載置部が載置される下降部と、この下降部の前方から昇り傾斜となると共に前記ストッパー兼載置部が載置される上昇部と、を備え、前記ロールペーパーが接する前記下降部又は前記上昇部の水平面に対する傾斜角度が鉛直方向において下方になるほど大きくなる構成とし、前記ストッパー兼載置部は、前記ロールペーパーが接触するスロープの山を備え、前記ロールペーパーが接する前記スロープの山の水平面に対する傾斜角度が、鉛直方向において下方になるほど大きくなることを特徴とする。
【０００８】
本発明によれば、ロールペーパーが大きい状態でロールペーパーホルダーに載置されている場合、上昇部における水平面に対する傾斜角度が小さいので、ストッパー兼載置部の前方からペーパーを引き出す際に、ロールペーパーの転動に対する抵抗が小さくなり、ペーパーを滑らかに引出すことが可能になるとともにペーパーのカット性を向上させることができる。また、ロールペーパーが小さい状態でロールペーパーホルダーに載置されている場合、下降部における水平面に対する傾斜角度が大きいので、ストッパー兼載置部の前方からペーパーを引き出す際に、ロールペーパーの転動に対する抵抗が大きくなり、ロールペーパーがストッパー兼載置部の後方に向かって勢いよく転動しなくなり、ストッパー兼載置部上のロールペーパーを安定状態に保つことができ、ペーパーを滑らかに引出すことが可能になるとともにペーパーのカット性を向上させることができる。
さらに、載置部に形成された複数の突出部が鉛直方向において下方になるほど傾斜角度が大きくなるので、ロールペーパーが大きい状態でもロールペーパーと突出部との接触面積が必要以上に大きくなることを防止し、ペーパー引出しの際により滑らかに引出すことが可能となる。
【０００９】
請求項２記載のロールペーパーホルダーでは、前記ストッパー兼載置部は、前記ロールペーパーの横方向の位置決めをすると共に側端に形成されたストッパー部を備えていることを特徴とする。
【００１０】
本発明によれば、ロールペーパーが横方向おいて所定の位置からずれないように位置決めすることが可能となる。
また、載置部からスライドして来たロールペーパーが、使用時に逆戻りしないようにすることが可能となる。
【００１１】
請求項３記載のロールペーパーホルダーでは、前記載置部にはロールペーパーのストックが載置されることを特徴とする。
【００１２】
本発明によれば、スペアのロールペーパーが複数個収納可能となる。
【発明の効果】
【００１３】
本発明のロールペーパーホルダーによれば、ロールペーパーが大きくても小さくてもペーパーを引出す際にロールペーパーを安定状態に保ち、滑らかに引出すことが可能となるとともにカット性の良いロールペーパーホルダーを提供することができる。
【図面の簡単な説明】
【００１４】
【図１】本発明のロールペーパーホルダーの斜視図である。
【図２】図１においてロールペーパーを除いた状態を示す斜視図である。
【図３】図２の分解斜視図である。
【図４】図２のストッパー兼載置部の拡大図である。
【図５】図１におけるロールペーパーが大きい状態を表す主要拡大断面図である。
【図６】図１におけるロールペーパーが小さい状態を表す主要拡大断面図である。
【図７】本発明のロールペーパーホルダーをトイレ空間に設置した状態を示す図である。
【発明を実施するための形態】
【００１５】
以下、本発明におけるロールペーパーホルダー１の実施形態について図を用いて説明する。図１は、本発明の実施形態のロールペーパーホルダー１の斜視図である。図２は、図１においてロールペーパーを除いた状態を表す斜視図である。本発明のロールペーパーホルダー１は、ロールペーパー２の軸心を横にした状態で載置している。ロールペーパーホルダー１の右端に使用されるロールペーパー２が配置され、ペーパー取り出し口１１からペーパーが取り出し可能となっている。また、その使用されるロールペーパー２の左側にはスペアのロールペーパー２が複数個収納可能となっている。
【００１６】
図１に示すように、カバー３の正面ペーパー取り出し口１１の開口高さは、ロールペーパー２の空芯（３８Φ）が飛び出さない高さ（３５ｍｍ程度）とし、側壁部１５の一部を切欠いた側面開口部１２の開口高さは、ロールペーパー２の空芯が取り出せる高さかつ、盗難する意味の薄いなるべく小径に近い（５０ｍｍ程度）とする。側面開口部１２は、新品の糊付けされたロールペーパー２の端部をはがす際に、ロールペーパー２を回転させて端部を探すために指でつかむためのものでもあり、５０ｍｍ程度が適切と考えられる。
【００１７】
さらに、正面に設けたスライド用開口部１３は、スペアのロールペーパー２を指でスライド移動させるためのものであるが、ロールペーパー２の紙端部が内部に入り込んだ状態でも、図７に示すように便座１４に座った状態から内部の状態を確認しやすくするためにペーパー取り出し口１１上部まで開口され、確認用の窓を兼ねていることを特徴としている。
【００１８】
図３は、図１の分解斜視図である。ロールペーパーホルダー１の構成は、ロールペーパーホルダー１のカバー３とロールペーパー２のストックを戴置するための戴置部４、使用されるロールペーパー２を載置し横ズレを防止するストッパー兼載置部５、紙切歯６を備えている。ストッパー兼載置部５は、ロールペーパー２が横方向おいて所定の位置からずれないように位置決めの機能を有しており、ロールペーパー２がストッパー兼載置部５を転動する際に摺動抵抗が大きくならないＰＰ（ポリプロピレン）等で形成されることが好ましい。載置部４は、トイレ壁面Ｗに沿って固定される固定部８から前方に下り傾斜となる下降部９と、下降部９の前方から昇り傾斜となり、前方に紙切歯６が設けられる上昇部１０と、下降部９と上昇部１０との側方に形成された側壁部１５から構成される。下降部９と上昇部１０は、固定部８側から手前側に連続して下るように傾斜している。尚、紙切歯６の材質は、ゴム系やエラストマー樹脂他の摩擦力の大きい材料が考えられ、ペーパーカット時には、ペーパーが横滑りするのを防止してカット性を良くするため、無数の突起部をランダムに配置することで引っ掛かり作用を持たせ、先端に設けた凹凸の紙切歯によってスムーズなカットができる。
【００１９】
図４は、図２のストッパー兼載置部５の拡大図である。具体的には、ストッパー兼載置部５は、ストッパー部５ａ、スロープの谷５ｂ（凹側）、スロープの山５ｃ（凸側）、を備えており、ストッパー部５ａは載置部４からスライドして来たロールペーパー２が、使用時に逆戻りしないように段差を設けている。ストッパー兼載置部５のスロープ部にスロープの谷５ｂ（凹側）とスロープの山５ｃ（凸側）とを設け、スロープの下側に行くに従ってロールペーパー２との接触面が大きくなるように形成し、ロールペーパー２が大きい時はスロープの山５ｃ部と狭い面で接触することでペーパー引き出し時の抵抗を小さくし、ロールペーパー２が小さくなるに従って接触面積を大きくすることでロールペーパーの引き出し抵抗を増し、ロールペーパー２のストッパー兼載置部５内での転動を抑えることで、引き出し性とカット時の安定性が両立できる。また、スロープの谷５ｂ（凹側）はストックのロールペーパー２を横にスライドした時にロールペーパー２が引っ掛かることなくスムーズな移動ができるように、ストッパー部５aから見てなだらかな角度でスロープの山５ｃ（凸側）へと連続した形状としている。
【００２０】
図５は、図１におけるロールペーパー２が大きい状態を表す主要拡大断面図である。本発明のロールペーパーホルダー１は、ロールペーパー２の軸心を横にした状態で載置するストッパー兼載置部５を備え、ロールペーパー２をストッパー兼載置部５上で転動させてロールペーパー２のペーパーを引き出し可能としたロールペーパーホルダー１であって、載置部４は、壁面に沿って固定される固定部８から前方に下り傾斜となる下降部９と、この下降部の前方からのぼり傾斜となる上昇部１０と、を備え、ストッパー兼載置部５は、鉛直方向において下方になるほど傾斜角度大きくなり、ロールペーパー２との接触面積が大きくなる構成としている。それによって、ロールペーパー２が大きい状態でロールペーパーホルダー１に載置されている場合、ストッパー兼載置部５の前方からペーパーを引出す際に、ロールペーパー２の転動に対して大きな抵抗が発生することなく、ペーパーを滑らかに引出すことが可能となるとともにカット性が向上できる。
【００２１】
図６は、図１におけるロールペーパー２が小さい状態を表す主要拡大断面図である。ロールペーパー２が小さい状態でロールペーパーホルダー１に載置されている場合、ストッパー兼載置部５の前方からペーパーを引出す際に、ロールペーパー２の転動に対して大きな抵抗が発生するため、ロールペーパー２がストッパー兼載置部５の後方に向かって勢いよく転動することがなくなり、ストッパー兼載置部５上のロールペーパーが安定な状態でペーパーを滑らかに引出すことが可能となる。
【００２２】
図５、図６で説明してきたように、ロールペーパー２が大きい状態と小さい状態では、鉛直方向において下方になるほど傾斜角度が大きくなるとともに、ロールペーパー２とストッパー兼載置部５との接触面積が大きくなる構成としている。図５の状態における水平面に対する傾斜角度αは概ね３７度で、水平面に対する傾斜角度βが概ね３０度で接触面積が概ね０.７２平方センチである。図６の状態における水平面に対する傾斜角度α’は概ね６０度で、水平面に対する傾斜角度β’が概ね４５度で接触面積が概ね９平方センチである。
【００２３】
以上、本発明について実施形態を通して説明してきたが、本発明は、載置部４、ストッパー兼載置部５の上方は、カバー３や蓋部材を有さない開放された空間であっても良い。そうすれば、ロールペーパー２を載置部４にセットする際に、カバー３を外したり蓋部材を開閉する必要がなく、片手で簡単にセットすることができるようになる。また、本発明は、ロールペーパーホルダー１の右端に使用されるロールペーパー２が配置され、ペーパー取り出し口１１からペーパーが取り出し可能となっているものに限定されるものではなく、本発明の技術思想から逸脱しない範囲で適宜設計変更をしてもよい。また、本発明は、その使用されるロールペーパー２の左側にはスペアのロールペーパー２が複数個収納可能となっているものに限定されるものではなく、使用されるロールペーパー２のみ収納可能となっているものでもよく、本発明の技術思想から逸脱しない範囲で適宜設計変更をしてもよい。
【符号の説明】
【００２４】
１…ロールペーパーホルダー
２…ロールペーパー
３…カバー
４…戴置部
５…ストッパー兼載置部
６…紙切歯
８…固定部
９…下降部
１０…上昇部
１１…ペーパー取り出し口
１２…側面開口部
１３…スライド用開口部
１４…便座
１５…側壁部
【図１】
0005867897.tif 000002
【図２】
0005867897.tif 000003
【図３】
0005867897.tif 000004
【図４】
0005867897.tif 000005
【図５】
0005867897.tif 000006
【図６】
0005867897.tif 000007
【図７】
0005867897.tif 000008